Podtech/llm-jp-corpus-v4-ja_patent huggingface dataset:
(57)【要約】【課題】ゴミを拡散させることなく、水流に乗せて排出が可能な水槽中のゴミ掃除具の提供【解決手段】この考案の水槽中のゴミ掃除具は、多数の小穴１を穿設した吸引板２を填め込み、内面に雌ネジ３を設けてなる筒状吸引部材４と、先端部に該筒状吸引部材４を裸着可能な雄ネジ５を穿設し、後端部に吸入管６を接続する砂踊り部材７からなる吸引口Ａにおいて、前記小穴１に、前記筒状吸引部材４よりも長い複数個の突起棒８を設立しているので、吸引口Ａが直に砂面に接触しない構造になっていいる。【選択図】 図１
0003137583.tif 000002
【実用新案登録請求の範囲】
【請求項１】
多数の小穴（１）を穿設した吸引板（２）を填め込み、内面に雌ネジ（３）を設けてなる筒状吸引部材（４）と、先端部に該筒状吸引部材（４）を裸着可能な雄ネジ（５）を穿設し、後端部に吸入管（６）を接続する砂踊り部材（７）からなる吸引口（Ａ）において、前記小穴（１）に、前記筒状吸引部材（４）よりも長い複数個の突起棒（８）を設立してなることを特徴とする水槽中のゴミ掃除具
【考案の詳細な説明】
【技術分野】
【０００１】
本考案は水槽中のゴミ掃除具に関するものである。
【背景技術】
【０００２】
従来は、特許文献１に示すように、吸引口を水槽中の砂の上に直に置き、ゴミの多い所や敷砂の上部などを、吸引口で混ぜるようにして、ゴミを拡散・浮遊させて、排出していたので、水全体が濁るという欠点があった。
【０００３】
【特許文献１】実開平２−１３４８６１号公報
【考案の開示】
【考案が解決しようとする課題】
【０００４】
この考案は、背景技術で記述した欠点を解消するためになされたもので、ゴミを拡散させることなく、水流に乗せて排出が可能な水槽中のゴミ掃除具の提供を目的とするものである。
【課題を解決するための手段】
【０００５】
この考案の水槽中のゴミ掃除具は、多数の小穴１を穿設した吸引板２を填め込み、内面に雌ネジ３を設けてなる筒状吸引部材４と、先端部に該筒状吸引部材４を裸着可能な雄ネジ５を穿設し、後端部に吸入管６を接続する砂踊り部材７からなる吸引口（Ａ）において、前記小穴１に、前記筒状吸引部材４よりも長い複数個の突起棒８を設立してなることを特徴とするものである。
【考案の効果】
【０００６】
この考案は上述のように構成されているので、次のような効果を呈する。
筒状吸引部材４よりも長い複数個の突起棒８を設けているので、水槽の砂地面に突起棒８を突き立てると、筒状吸引部材４の先端部と前記砂地面とは離隔し、吸入管６を通して水槽中の水を吸引すると、前記離隔部を通過する水の流れ、即ち水流を誘起し、ゴミはこの水流に乗って、吸引口Ａに流され、排出されるから、ゴミを強制的に拡散・浮遊させることがないため、水槽中の水全体が濁るということがない。
【考案を実施するための最良の形態】
【０００７】
ゴミを強制的に拡散させることなく、水流に乗せて排出が可能な水槽中のゴミ掃除具の提供という目的を、筒状吸引部材４よりも長い複数個の突起棒８を、吸引板２に穿設した小穴１に立設することにより実現できた。
【実施例】
【０００８】
この考案の実施の一例を図面を参照しながら説明する。図１に示すように、この考案の水槽中のゴミ掃除具は、多数の小穴１を穿設した吸引板２を填め込み、内面に雌ネジ３を設けてなる筒状吸引部材４と、先端部に該筒状吸引部材４を裸着可能な雄ネジ５を穿設し、後端部に吸入管６を接続する砂踊り部材７からなる吸引口Ａにおいて、前記小穴１に、前記筒状吸引部材４よりも長い複数個の突起棒８を設立している。
【０００９】
なお、本ゴミ掃除具を使用しないときには、筒状吸引部材４を、一旦、砂踊り部材７から外し、突起棒８が砂踊り部材７側になる姿勢にして、再度砂踊り部材７に裸合し直すので、突起棒８は、砂踊り部材７の内部に収納できる長さに設計されている。
【００１０】
突起棒８の個数については、特に制限はないが、吸引板２の中央部に数本立設するのが望ましい。突起棒８は水槽の砂地に突き刺すことが出来るように、先端部を尖らせている。
【００１１】
図１において、９は作動筒であり、構造的には、石油ストーブに灯油を補給するときに使用するものとほぼ同じで、サイホンの原理により水を自動的に排出する。
【００１２】
図２は、使用中の状態を示す説明図で、まず、水槽中の砂地１０に突起棒８を、静かに突き刺し、筒状吸引部材４の先端部と砂地１０とを十分に離隔させ、砂地１０を撹拌させないように、作動筒９を１〜２回程度圧縮し、水を排出させ、水槽中に水流を誘起し、この水流に乗ってゴミを排出する。
【産業上の利用可能性】
【００１３】
構造が簡単であり、水槽中の水全体を濁らせることなく、砂地に散在するゴミを除去できるゴミ掃除具としての利用が可能である。
【図面の簡単な説明】
【００１４】
【図１】本考案の一実施例を示す一部切り欠斜視図
【図２】使用状態の説明図
【符号の説明】
【００１５】
１  小穴
２  吸引板
３  雌ネジ
４  筒状吸引部材
５  雄ネジ
６  吸入管
７  砂踊り部材
８  突起棒
９  作動筒
１０  砂地
１１  ゴミ
Ａ     吸引口
【図１】
0003137583.tif 000003
【図２】
0003137583.tif 000004
(57)【要約】【課題】  自分で靴を履くことができない幼児に履かせやすい靴を提供する。【解決手段】本考案の子供靴は、外羽根式靴甲被の甲前開口部の内側に、舌片を配してなる靴において、甲前開口部の側甲被の一方から他方に亘って着脱自在に設けられた甲バンドを有し、かつ、連結材が爪先部中央部に設けられた中継具を介して、舌片上部から甲バンド取付け側の側甲被まで連結されている靴であり、甲バンドを開けると、連結具の帯状の布テープにより舌片が前方に引張られて履き口が広がる子供靴である。【選択図】    図１
0003137586.tif 000002
【実用新案登録請求の範囲】
【請求項１】
外羽根式靴甲被の甲前開口部を挟む両側の側甲被の一方から他方に亘って着脱自在に設けられた甲バンドを有した子供靴において、連結材が爪先部中央部に設けられた中継具を介して、舌片上部から甲バンド取付け側の側甲被まで連結されていることを特徴とする子供靴。
【請求項２】
前記中継具はリングであり、前記連結材は帯状の布テープであることを特徴とする請求項１記載の子供靴。
【請求項３】
前記舌片の上部の連結具の端部は、爪先部中央部に設けられた中継具を通る中心線の位置よりも甲バンド取付け側と対抗する側甲被側に位置することを特徴とする請求項１記載の子供靴。
【請求項４】
前記甲バンドは、面ファスナーを介して着脱されることを特徴とする請求項１記載の子供靴。
【請求項５】
前記舌片に用いられる素材は、腰のある素材であることを特徴とする請求項1記載の子供靴。
【考案の詳細な説明】
【技術分野】
【０００１】
本考案は、甲バンドを開けると履き口が広がり履かせやすい子供靴に関する。
【背景技術】
【０００２】
甲ベルトを開閉して着脱する靴において甲ベルトを開けると開口部が広くなる靴として、文献１から文献４が開示されている。
文献１には、甲開口部を覆う甲上部片と甲ベルトを固着し甲ベルトを開けた時、甲開口部が開き、履き口部が広くなる子供靴が記載されている。
文献２には、甲前開口部の内側面に舌片を配してなる靴において、舌片と甲バンドが連結材で連結され、甲バンドを開けると舌片が持ち上がるような子供靴が記載されている。
文献３には、舌片に甲バンドを挿通するための飾りを設け、甲バンドをこの飾りに挿通して甲バンドを開くと舌片が持ち上がる子供靴である。
文献４には、甲バンドと舌片を連結具で連結し、甲バンドを開くと舌片も持ち上がる高齢者、リハビリテーション用の靴が記載されている。
【０００３】
前記先行技術の靴において、甲ベルトの開閉と連動して舌片が斜めに持ち上がるものであり、舌片の開きが前方に開いて履き口が大きく広がるものではなかった。
【特許文献１】特開２００２−２８００６号公報
【特許文献２】特開２００４−１２１７３９号公報
【特許文献３】登録実用新案第３００５４６４号公報
【特許文献４】登録実用新案第３０６２５２７号公報
【考案の開示】
【考案が解決しようとする課題】
【０００４】
本考案は、外羽タイプの子供靴において、甲ベルトを開くと、甲ベルト取付け側の側甲被のわずかな動きを連結材と連結材を中継する中継具により、舌片の前後の動きに変えて、履き口を広げて足を入れやすくする子供靴に関するものである。
【課題を解決するための手段】
【０００５】
本考案の子供靴は、外羽根式靴甲被の開口部に相対する側甲被の一方に甲バンドが取付けられ、面ファスナーなどの係合手段により甲バンドを着脱する子供靴において、舌片の上部を一方の端部とし甲つま先部に設けられた中継具を経由して甲バンドが縫い付けられた側甲被を他方の端部とするように紐などの連結材により連結されていることを特徴とする。
【０００６】
本考案の子供靴において、中継具はリングが使用され、連結材は、紐、糸または、帯状の布テープ等が使用される。舌片部の上部の連結材の端部は、甲つま先部の中継具と舌片の中央部を結ぶ線よりも甲バンドが取付けられた方と反対側の側甲被側に設けられるのがよい。図３には中継具と連結材の両方の端部の好ましい位置関係を示す。
【０００７】
本考案の子供靴において、中継具は、連結材を中継し、甲バンドを開く動作に応じて、甲バンド取付け側の側甲被の横方向の動きが、舌片の前への動きに変える役割をするものである。中継具は、形状的には限定しないが、紐やテープの中継の役割をなすものであればよく、リングが好ましい。中継具の連結材との接触部は、すべりのよいことが好ましい。連結材は、紐状またはテープ状のものが使用され、表面がすべりの良いものが好ましい。
【０００８】
本考案の子供靴において、甲バンドを着脱するための着脱手段は、面ファスナー、ホック、尾錠などが用いられる。  
【考案の効果】
【０００９】
本考案は、甲バンドで着脱する子供靴において、舌片上部と甲バンド取り付け側の側甲被とつま先部に設けた中継具を介して、連結材により連結しているので、甲バンドの開閉と連動して、舌片が前方に開くので、履き口を簡単に広げることができ、履きやすくなる。
【００１０】
本考案は、子供靴のデザインを大幅に変えることなく。中継具と連結材を取付ければ、舌片を甲バンドの動作と連動して開くことができるので、コスト的にもメリットがある。
しかも、子供靴に使用した場合、子供が関心を示して靴を正しく履く習慣を身につけられる知育用シューズとしても好適である。
【考案を実施するための最良の形態】
【００１１】
実施するための最良の形態の子供靴を図面を参照して本考案の子供靴について説明する。
図１は本考案の子供靴の甲バンドを開いた状態の斜視図である。
図２は本考案の子供靴を前方から見た時の連結材の両端部と中継具との位置関係を示す図である。
図３は中継具に連結材を通した時の説明図である。
【００１２】
本考案の子供靴は、甲被材は合成皮革を用い、靴底材は軽量なＥＶＡスポンジを用いた。
連結材と中継具以外の部分は、一般的な外羽根タイプのデザインの甲バンド付の子供靴である。
図１に示すように、甲前開口部に相対する一方の側甲被に甲バンドを縫付けし、甲バンド裏面には面ファスナーＡを縫着し、他方の側甲被には、面ファスナーＡと係合する面ファスナーＢを縫い付けた。
連結材は表面が平滑なサテン織の布テープを用い、中継具には、リングを用いる。図３に示すように中継具のリングを挿入した布テープを甲被つま先中央部に縫着した。
【００１３】
連結材の布テープの一端は、甲バンドと甲バンド側の側甲被の間に挟んで縫着し、つま先中央部の中継具を経由し、他端は舌片上部の甲バンドを縫着していない方の側甲被側に寄せた位置になるように縫着した。連結具の両端部と中継具の位置関係を図２に示す。
本考案の子供靴は、甲バンドを開くと舌片が前に動き履き口が広くなることが確認できた。
【図面の簡単な説明】
【００１４】
【図１】本考案の子供靴の甲バンドを開いた状態の斜視図
【図２】本考案の子供靴を前方から見た時の連結材の舌片上部の端部と、甲被側の端部と、中継具との位置関係を示す図
【図３】中継具に連結材を中継した時の説明図
【符号の説明】
【００１５】
１．子供靴
２．甲バンド
３．舌片
４．中継具
５．連結材
６．面ファスナーＡ
７．面ファスナーＢ
８．中継具と舌片の中央を結ぶ中心線
９．舌片の連結材の端部
１０．側甲被の連結材の端部
【図１】
0003137586.tif 000003
【図２】
0003137586.tif 000004
【図３】
0003137586.tif 000005
(57)【要約】【課題】足の熱気、水分及び足についた砂粒がスムーズに排除され、下に向かって通気性を有し、外に向かって水気や砂粒を排除して、除臭できる履物を提供する。【解決手段】ゴムまたはプラスチック発泡体材料からなる裏底１、中物２及び表底３から構成されている。中物２の表面は規則的に並んだくぼみ溝２１を有し、くぼみ溝２１は中物２の左右両側までつながって貫通している。表底３の全体面の内縁面には規則的に並んだパターン穴３１が設けられていて、いずれのパターン穴３１も上下表面が貫通している。表底３と中物２が結合することで、表底３のパターン穴３１が中物２のくぼみ溝２１の位置に対応し、使用者が足に履くと、足の熱気、水分及び足についた砂粒がスムーズに排除され、下に向かって通気性を有し、外に向かって水気や砂粒を排除して、除臭効果をもたらす。【選択図】図１
0003137599.tif 000002
【実用新案登録請求の範囲】
【請求項１】
ゴムまたはプラスチック発泡体材料からなる裏底、中物、および表底から構成され、
前記中物の表面は規則的に並んだくぼみ溝を有し、くぼみ溝は中物の左右両側へつながって貫通し、
表底の下面および上面には全体に規則的に並んだパターン穴が設けられていて、いずれのパターン穴も上面のパターン穴と下面のパターン穴とが貫通しており、
表底と中物とは結合し、表底のパターン穴は中物のくぼみ溝の位置に対応し、使用者が足に履くと、足の熱気、水分、および足についた砂粒がスムーズに排除され、表底の下面に向かって通気性を有し、中物の左右両端に向かって水気や砂粒を排除して、除臭効果をもたらすことを特徴とする履物。
【請求項２】
前記表底のパターン穴は、変化に富んだ幾何学模様を有することを特徴とする請求項１に記載の履物。
【考案の詳細な説明】
【技術分野】
【０００１】
本考案は、履物に関し、特に、使用者の足部分に発生する熱気、水分、砂粒を排除して、通気性、排水機能、砂を排除する機能、坑臭機能を有する履物に関する。
【背景技術】
【０００２】
一般に市販されている履物（例えば、サンダルやスリッパ等）の表面の設計は、模様を施して美観を高めており、さらに、エコ、抗菌材質と称して、消費者の購買欲をかきたてている。
【０００３】
しかしながら、実際に使用した結果において、従来の技術には以下の欠点がある。表底の表面が水に濡れたり、足が濡れたりしている場合に、水分が残り、充分に発散されない時や、足の裏の熱気が放散されない時、いずれも足の裏は長時間、蒸れる状態に置かれ、その結果、菌の繁殖を招くことになり、足の臭さの最大の原因となる。したがって、履物自身の基本構造から解決すれば、上述の問題が解決する。本考案は、従来の欠点を解決する履物を提供することを課題とする。
【考案の開示】
【考案が解決しようとする課題】
【０００４】
本考案は、通気、排水、砂の排除、坑臭作用を有する履物を提供することを目的とする。
本考案は、表底の穴が各種幾何パターンの変化に富んだ模様を有することを特徴とする履物を提供することを目的とする。
また、本考案は、履物が甲革と結合して形成されるスリッパであることを特徴とする履物を提供することを目的とする。
【０００５】
さらに、本考案は、履物が鼻緒と結合して形成されるサンダルであることを特徴とする履物を提供することを目的とする。
そして、本考案は、表底に張り合わせる位置を有し、各種ブランドのマークや飾りを貼り付けて、商品としての価値や美観を高めることを特徴とする履物を提供することを目的とする。
さらに、本考案は、履物が表底、中物、裏底を貼り合わせる方式で製造されるため、材料コストに応じて上述三層の材質を交換してコストの調整を行なうことで、市場状況に対応できることを特徴とする履物を提供することを目的とする。
【課題を解決するための手段】
【０００６】
上記の目的を達成するために、本考案は、ゴム、プラスチック発泡体材料からなる裏底、中物及び表底から構成される。この中物の表面は規則的に並んだくぼみ溝を有する。さらに、くぼみ溝は中物の左右両側までつながって貫通する。表底の全体面の内縁面には規則的に並んだパターン穴が設けられていて、いずれのパターン穴も上下表面が貫通している。表底と中物が結合することで、表底の穴が中物のくぼみ溝の位置に対応する。使用者が足に履くと、足の熱気、水分及び足についた砂粒がスムーズに排除され、下に向かって通気性を有し、外に向かって水気や砂粒を排除して、除臭効果をもたらす。
【０００７】
（考案の効果）
本考案の履物は、表底、中物及び裏底から構成される。中物の表面の規則的に並んだくぼみ溝と表底の全体面の内縁面には規則的に並んだパターン穴とが中物のくぼみ溝の位置に対応することにより、使用者が足に履くと、足の熱気、水分及び足についた砂粒がスムーズに排除され、下に向かって通気性を有し、外に向かって水気や砂粒を排除して、除臭する。
【考案を実施するための最良の形態】
【０００８】
本考案の実施例を図１、図２を参照して説明する。本考案の一実施例による履物は、裏底１、中物２、表底３から構成される。そして、ＥＶＡ、ＰＵ、ＰＶＣ、ＴＰＲ等のプラスチック、天然ゴム発泡体材料からなる。このうち、中物２の表面は規則的に並んだくぼみ溝２１を有し、さらに、くぼみ溝２１は中物２の左右両側まで貫通している。また、表底３の全体面内側には規則的に並んだパターン穴３１を有する。このパターン穴３１は異なる幾何学模様をした図形を変化したもので、表底には貼り合わせ位置３２を有することで、各種のロゴ、ブランド名を貼ったり、飾り３Ａを貼り付けたりすることができる。さらに、図３Ａ、図３Ｂに示すように、どのパターン穴３１も上下表面に貫通し、そして、甲革４及び鼻緒５のどちらかと組み合わされる。図４に示すように、使用者が足６に履くと、中物２と表底３が組み合わさって、表底３の穴３１は中物２のくぼみ溝２１の位置に対応して、図５に示すように、足６の熱気、水分、細かい砂粒を甲革３の穴３１から進入して表底２のくぼみ溝２１の位置に進入し、さらに、くぼみ溝２１左右両側に導いて排除することにより、下に向かって通気、外に向かって排水、排砂作用を促す。したがって、足６の熱気、水分及び細かい砂粒はいずれも速やかに排除されて、菌の繁殖を防ぎ、足の臭さを回避する。
【図面の簡単な説明】
【０００９】
【図１】本考案の一実施例による履物を示す分解図である。
【図２】本考案の一実施例による履物の結合状態を示す斜視図である。
【図３Ａ】本考案の一実施例による履物の完成した形態を示す斜視図である。
【図３Ｂ】本考案の一実施例による履物の完成した形態を示す斜視図である。
【図４】本考案の一実施例による履物の履いた時の状態を示す模式図である。
【図５】本考案の一実施例による履物の外に向かって水分、砂粒等を排除、発散する状態を示す模式図である。
【符号の説明】
【００１０】
１：裏底、２：中物、３：表底、３Ａ：飾り、４：甲革、５：鼻緒、６：足、２１：くぼみ溝、３１：パターン穴、３２：貼り合わせ位置
【図１】
0003137599.tif 000003
【図２】
0003137599.tif 000004
【図３Ａ】
0003137599.tif 000005
【図３Ｂ】
0003137599.tif 000006
【図４】
0003137599.tif 000007
【図５】
0003137599.tif 000008
(57)【要約】【課題】  従来の階段式木製踏み台は、下段ステップが回動することを防止する機能はなく、本体を傾けたりなどした場合、下段ステップが回動し、使用者の体を傷つけたり、指を挟むなどの怪我を伴う被害が生じていた。【解決手段】  この考案における階段式木製踏み台における下段ステップの回転防止機能は、踏み台本体と回転して収納できる下段ステップに着脱可能なベルトを設けることで、意図しない回転を防止できるようにする。【選択図】図２
0003137521.tif 000002
【実用新案登録請求の範囲】
【請求項１】
階段式木製踏み台における下段ステップにおいて、回転防止機能を設けたことを特徴とする、階段式木製踏み台における下段ステップの回転防止機能に係る。
【請求項２】
請求項１において、下段ステップの回転防止機能は、踏み台本体と回転して収納できる下段ステップに着脱可能なベルトを設けることで、意図しない回転を防止することを目的とした階段式木製踏み台における下段ステップの回転防止機能。
【考案の詳細な説明】
【技術分野】
【０００１】  この考案は階段式木製踏み台における回動する下段ステップ部に関し、回動する下段ステップが使用者の意図しない回動を防止することを目的とした、階段式木製踏み台における下段ステップの回転防止機能に係る。
【背景技術】
【０００２】  従来の階段式木製踏み台における下段ステップは図４に示すとおり、下段ステップが回動することを防止する機能はなく、本体を傾けたりした場合、下段ステップが回動し、使用者の体にあたったり、指を挟むなどの怪我を伴う被害が生じていたりしていた。
【考案の開示】
【考案が解決しようとする課題】
【０００３】  この考案は、図１および図２に示したような木製踏み台本体と、回動する下段ステップにバックルで固定できるベルトを装着することで、使用者の意図しない回動を防止することを目的としている。
【課題を解決するための手段】
【０００４】  本考案は以上のような点を鑑み考案されたものであり、図３、４のように踏み台本体と回動する下段ステップそれぞれに、意図しない回動を防止するためのベルトとベルトを系止するバックルが形成されている。
【考案の効果】
【０００５】  この考案によれば、木製踏み台に下段ステップの回動防止機能を設けたことで、下段ステップが使用者の意図しない状況で回動することがないため、それによって生じていた怪我や指を挟むなどの現象がおきなくなり、安全に使用することができる。
【考案を実施するための最良の形態】
【０００６】  この考案の一実施形態を、図５、６及び図７、８を使用して示す。
踏み台の本体と下段ステップは木製であり、軸６を中心に下段ステップが回動するように連結されている。踏み台として使用する場合は下段ステップを本体から引き出すように回動させ、階段状にすることで踏み台として機能することができる構造である。【０００７】  上記した本体１の本体ステー７と下段ステップ２の下段ステップステー８にベルト固定金具４がそれぞれ設けられており、その金具に通す形でベルト３が本体側と下段ステップ側にそれぞれ取り付けられる。【０００８】  本体側ベルト３には着脱バックル６が設けられており、図７、８に示したとおりバックルは着脱式になっている。着脱バックル６を接続することで下段ステップの使用位置を固定でき、着脱バックル６を外すことで下段ステップを回動することができる。【０００９】  図５は踏み台本体１から下段ステップ２を引き出した状態であり、階段状の踏み台として機能している状態である。ベルト３は前方に回動した状態の下段ステップステー８と接続され、下段ステップ２が上方への回動をしないように固定されている。【００１０】  図６は踏み台として機能していない状態の説明図であり、下段ステップ２は本体１の内部に収納されている。この場合ベルト３は本体後方側から下段ステップステー８に接続されており、下段ステップ２が前方に回動しないように固定されている。
【実施形態の効果】
【００１１】  この実施形態によれば、ベルト３と着脱バックル６の働きで、踏み台本体が傾いたり、意図しない力が働いた場合でも、下段ステップ２は回動しない。
【図面の簡単な説明】
【００１２】
【図１】木製踏み台が踏み台として機能している状態の上方からの斜視図である。
【図２】木製踏み台の下段ステップを収納した状態の上方からの斜視図である。
【図３】下段ステップを引き出しベルトが接続された状態の説明図である。
【図４】下段ステップが収納されベルトが接続された状態の説明図である。
【図５】ベルトが踏み台としての機能を維持している状態の説明図である。
【図６】ベルトが下段ステップの収納を維持している状態の説明図である。
【図７】バックルが接続された状態の説明図である。
【図８】バックルが外された状態の説明図である。
【符合の説明】
【００１３】１    本体
２    下段ステップ
３    ベルト
４    ベルト固定金具
５    回転軸
６    着脱バックル
７    本体ステー
８    下段ステップステー
１０  木製踏み台
【図１】
0003137521.tif 000003
【図２】
0003137521.tif 000004
【図３】
0003137521.tif 000005
【図４】
0003137521.tif 000006
【図５】
0003137521.tif 000007
【図６】
0003137521.tif 000008
【図７】
0003137521.tif 000009
【図８】
0003137521.tif 000010
【手続補正書】
【提出日】平成19年8月27日(2007.8.27)
【手続補正１】
【補正対象書類名】実用新案登録請求の範囲
【補正対象項目名】全文
【補正方法】変更
【補正の内容】
【実用新案登録請求の範囲】
【請求項１】
階段式木製踏み台において、回転する構造の下段ステップが使用者の意図しない回転を防止する機能を設けたことを特徴とする、下段ステップの回転防止機能を有する階段式木製踏み台。
【請求項２】
請求項１において、下段ステップの回転防止機能は、踏み台本体と回転して収納できる下段ステップに着脱可能なバックルつきのベルトを設けることで、意図しない回転を防止することを目的とした、下段ステップの回転防止機能を有する階段式木製踏み台。
(57)【要約】      （修正有）【課題】大きさを変えればどのような大きさの用紙にも対応出来、自由に必要な本数の罫線を等間隔に、正しく引くことが出来る定規を提供する。【解決手段】素材は透明なものとし、目盛りは一般に出回っている物差しの目盛りのような目盛りとする。使用方法は、用紙の罫線を引く範囲の、上部横線と左縦線の交差する角に定規の１３５度の内角を当て、本体２の目盛り辺を縦線に合わせる。罫線を引く範囲の右縦線と上部横線の交差角に、移動定規の右辺を合わせると同時に、移動定規の左辺は、本体定規１に記載する６の等分割罫線目盛りに合わせて５の蝶ネジで固定する。移動定規の合わせた辺と、上部横線の交わる所に印をつける。以下、移動定規を移動しながら印を付けて行き、その印より直線を引けば希望の本数の罫線を正しく引くことが出来る。【選択図】図２
0003137522.tif 000002
【実用新案登録請求の範囲】
透明な素材の定規で、１３５度の内角を持つ定規に、更に自由に移動する定規を付けた、等分割罫線が引ける定規である。
【考案の詳細な説明】
【考案の詳細な説明】
この実用新案は、所定の用紙に等間隔の罫線を引く為の定規である。
従来、用紙に等間隔の罫線を引く場合は、その寸法を測り、必要な個数で割ったり、それを定規の目盛りで確認しながら罫線を引いており、大変な苦労があった。
本案は、この欠点を除くためになされたもので、これを図面について説明すれば次の通りである。
先ず材質は、透明なプラスチック等で、ブ−メラン様の形をした本体１・２の定規である。
図面（１）の第１図の本体１・２の定規の長さは、それぞれ２００ｍｍとする。７の目盛は通常のｃｍとする。６の目盛りは等分割罫線数目盛りとし、１ｃｍごとに１・２・３・４・・・・１２・１３と入れる。１の定規本体には４の切り込み溝を作り、３の定規を取り付けた第３図９・１０の移動コマを入れて、自由に動かすことが出来る。本体１・２の曲がりの内角の角度は１３５度とする。第３図の９・１０のコマは、３の移動定規を５蝶ネジにより固定・解除が自由に調整出来るようにする。
３の移動定規は、第２図３′のように底面が第１図１・２の本体定規と揃うようにする。
この等分割罫線引き定規の使用方法は、図面（２）で説明すれば次の通りである。
９は用紙である。罫線を引く規定の場所は、１０・１２の点線で示した範囲とする。この規定の場所の左上の角に１１定規本体の内角１３５度を当て、用紙１２の点線に合わせる。
次に、５の蝶ネジを緩め、６の等分割罫線数目盛りに３の移動定規の一辺を当て  更にその先を用紙の右上の角の８に合わせて、５の蝶ネジを締め固定する。
このように３の移動定規が固定された状態で、１の本体定規の４の溝を自由に滑らせ動かすことが出来る。
例えば、用紙の点線内に１０本の罫線を引く場合は、３の移動定規の一辺を６の目盛りの１０と用紙の右上角の８に合わせて５を固定する。
続いて、３の移動定規を移動して目盛りを９・８・・・２・１と合わせた時用紙の１０の点線と移動定規が交わったところに印を付け、その印から真下に直線を引けば、希望の罫線を正確に引くことが出来る。
【図面の簡単な説明】
【図１】  図面（１）第１図は平面図。１・２は本体定規。３は移動定規。４は移動コマの通溝。５は蝶ネジ。６は等分割罫線数目盛。７はｃｍ目盛。第２図・第３図は側面図  ８は４の溝の側面図。９・１０は移動コマの側面図  ３′の部分は底面が１・２と揃う。
【図２】  図面（２）平面図  ９は用紙。１０・１２の点線は罫線引きの範囲。８・１１は定規当ての基点。
【図１】
0003137522.tif 000003
【図２】
0003137522.tif 000004
【手続補正書】
【提出日】平成19年8月14日(2007.8.14)
【手続補正１】
【補正対象書類名】実用新案登録請求の範囲
【補正対象項目名】全文
【補正方法】変更
【補正の内容】
【実用新案登録請求の範囲】
【請求項１】
透明な素材の定規で、１３５度の内角を持つ定規に、更に自由に移動する定規を付けた、等分割罫線が引ける定規である。
(57)【要約】【課題】開放状態の車両背面ドアトランクロックのロック機構を利用し、容易に物品を吊る事が可能となる簡易構造型のフックを提供すること。【解決手段】背面ドアトランクロック２１のロック作動装置を本考案フック型器具１０のロック誘発装置部分１１で押し込む事でロック金具２３が作動し、本考案を挟み込み固定若しくは係る事でフック部分１３に対象となる物品を吊る事が可能となり、その際、てこの原理でストッパー部１２が背面ドア２０、若しくはトランクロック本体２１の一部に干渉する事で自身を安定させる事が可能となっている。【選択図】図２
0003137530.tif 000002
【実用新案登録請求の範囲】
【請求項１】
車両背面ドアに容易に取り付ける事ができる形状を持つ第一機能部分と、物品を吊る為のフック形状を持つ第二機能部分とで構成されるフック型器具であり、前記第一機能部分は車両背面ドア側トランクロックのロック作動を誘発させる為、車体側トランクロックの一部と同様の形状を備えている事を特徴としたフック型器具。
【請求項２】
車両背面側トランクロックのロック作動装置部分に前述の第一機能部分を押し込む事によってロックを誘発し、当該のロックが作動する事で自身がトランクロックに固定若しくは係り、容易に取り付けが可能となる特徴を持った請求項１記載のフック型器具。
【請求項３】
請求項２に記した特徴をもった前述の第一機能部分を持つフック型器具であり、当該の第一機能部分の他、物品を吊るのに適した形状を持つ第二機能部分を有するフック型器具。
【請求項４】
前述の第一機能部分がトランクロックに固定若しくは係った状態で、前述の第二機能部分に対象となる物品を吊った際、第一機能部分と第ニ機能部分との形状、更にトランクロックの形状との位置関係によりてこの原理が発生し、第一機能部分の一部とトランクロックの一部とが干渉し当該の原理による一定方向への働きを規制する事で自身の安定性が増すことを特徴とする請求項１〜３いずれか一項に記載のフック型器具。
【考案の詳細な説明】
【技術分野】
【０００１】本発明は、一般車両及び作業用車両の跳ね上げ式背面ドアのトランクロック部分を利用し物品を吊る為のフック型器具である。
【背景技術】
【０００２】車両を利用して物品を吊ろうとした際、車両本体からある程度距離が保たれ、一定の高さまで跳ね上がる背面ドアの端部に設けられているトランクロックを利用する位置的に最も適しているが、対象となる部分の本来の目的はロック機構であり、物品を吊る為の考慮はされていない為に物理的問題があった。
【考案の開示】
【考案が解決しようとする課題】
【０００３】トランクロックはロックしている状態で初めて物品を吊るのに利用できる隙間ができる為、ロックされていない状態のままでは物品を吊る事はできない。その隙間を利用するには背面ドアが開放している状態でロック機能を働かせる必要があり、また、その隙間はわずかしかなく直接物品を吊るには難しい為、紐等を結びつけてそれを介して物品を吊らなければならず、作業性・安定性に欠ける上に物品が脱落する恐れが課題となった。
【課題を解決する為の手段】
【０００４】本考案は背面ドアトランクロックのロック作動を利用し、汎用性の高い物品を吊る為の器具を容易に付加させる為、車体側のトランクロックと同様の形状を一部に持たせたフック型器具を背面側トランクロックのロック作動装置部分に押し込みロックを誘発させ、背面ドアが開放状態にも関わらず閉めた状態、つまりロックした状態を作り出し、それによって挟みこまれたフック型器具に対象の物品を吊る事で問題を解決しようとするものである
【考案の効果】
【０００５】従来ならば開放状態の背面ドアトランクロックに物品を吊る際、まず開放したトランクロックをロック状態にさせる必要があるが、専用の器具がない為にそれに適した形状の器具を探しだす作業からはじまり、その器具を用いてロック状態にする。そうする事で物品を吊るのに利用できる僅かな隙間ができるが汎用性に乏しく、紐等を結び付ける事で物品を吊っていた。しかし、本考案の当該のロックを誘発させ、それに伴いトランクロック部に固定若しくは係った状態となる特色を持ったフック型器具を使用する事で、上記に記した従来の一連の作業の必要性はなくなり、本考案製品をトランクロック部に押し込むという一回の動作で確実にフックを取り付ける事ができ、脱落の恐れもなく容易に物品を吊る事ができる様になった。
【考案を実施するための最良の形態】
【０００６】以下、本発明の好ましい実施形態を図面を参照しながら説明する。【０００７】図１において、車両背面ドア２０の端部にトランクロック本体２１が設置されており、開放状態ではトランクロック本体２１の正面にあるスリット２４の奥にロック作動装置２２が設けられている。当該の図１はこの通常状態の背面ドアトランクロック２１に、ｃ本考案であるフック型器具１０を取り付ける直前の状態を概略斜視図で示したものとする。【０００８】前述の図１内にあるロック作動装置２２にロック誘発部分である１１を押し込む事によりロックが作動し、図２におけるロック金具２３がロック状態の位置まで移動する事で、ロック金具２３とスリット２４の上部に本考案フック型器具１０が挟まれる事で、脱落の恐れもなくフック部分１３に対象となる物品を吊る事が可能な状態となる。図２は当該の状態を概略斜視図で示したものとする。【０００９】図３においてフック部分１３に対象となる物品３０を吊った状態を断面図にて示してるが、対象の物品３０の自重によりフック型器具１０がロック金具２３を支点としててこの原理が発生する。この時ストッパー部分１２が車両背面ドア２０若しくはトランクロック本体２１の一部にあたる事でてこの原理による動きを規制させ、フック型金具１０が一定方向に留まり安定する。
【図面の簡単な説明】
【００１０】
【図１】本考案を車両背面ドアトランクロックに取り付ける直前の状態を示す概略斜視図
【図２】本考案を車両背面ドアトランクロックに取り付けた状態を示す概略斜視図。
【図３】本考案をトランクロックに取り付け対象となる物品を吊っている状態を示す断面図。
【図４】本考案を車両背面ドアトランクロックに取り付けた状態を車両本体も含めた構図で示す概略斜視図。
【符号の説明】
【００１１】１０  フック型器具本体
１１  ロック誘発部分
１２  ストッパー部分
１３  フック部分
２０  車両背面ドア
２１  トランクロック本体
２２  ロック作動装置
２３  ロック金具
２４  スリット
３０  対象となる物品
【図１】
0003137530.tif 000003
【図２】
0003137530.tif 000004
【図３】
0003137530.tif 000005
【図４】
0003137530.tif 000006
(57)【要約】      （修正有）【課題】脱いだ下足に簡単に取り付けられる名札具【解決手段】洗濯ばさみ形のつまみ部分上部に名札を付ける。【選択図】図１
0003137528.tif 000002
【実用新案登録請求の範囲】
【請求項１】
大勢の人が集まる場所で、下足を脱ぐ時、下足が紛れることを防止するため洗濯ばさみ形の上部に名札をつけられた構造を持った下足用名札ばさみ。
【考案の詳細な説明】
【技術分野】
【０００１】大勢の人が集まる場所で下足を脱ぐ時、紛れて困るので、下足に名札を簡単に取り付ける方法。
【背景技術】
【０００２】多数の人々が集まる場所では下足番の人が居て、下足の処理をしていた。また、下足箱を並べてそれぞれ入れていたが場所によっては下足箱のないところが多い。
【考案が解決しようとする課題】
【０００３】多数の人が集まる場所での下足の管理処理を明確にすること。
【考案が解決しようとする手段】
【０００４】下足本体にそれぞれ簡単に名札を取り付けられ、取り外せる。名札取り付け具を作る。
【考案実施の形態】
【０００５】洗濯ばさみの形をしていて、そのつまみ部分に名札がついている。
【実施例】
【０００６】以下は添付図により実施例を説明する。図１は下足に取り付けた状態の斜視図である。１は本体で洗濯ばさみの形状で２のつまみで５の下足を３の部分で挟んで止める。５は名札である。
【考案の効果】
【０００７】洗濯ばさみ形のつまみのワンタッチで、下足に名札を取り付けることで混雑した場所での脱いだ下足を明確に管理表示が出来る。
【図面の簡単な説明】
【０００８】
【図１】下足に名札を取り付けた斜視図である。
【符号の説明】
【０００９】１      ナンタちゃん本体
２      つまみ部分
３      下足をはさむ部分
４      スプリング
５      名札
６      下足
【図１】
0003137528.tif 000003
【図２】
0003137528.tif 000004
【手続補正書】
【提出日】平成19年9月19日(2007.9.19)
【手続補正１】
【補正対象書類名】明細書
【補正対象項目名】０００８
【補正方法】変更
【補正の内容】
【０００８】
【図１】下足に名札を取り付けた斜視図である。
【図２】後背図である。
【手続補正２】
【補正対象書類名】図面
【補正対象項目名】図２
【補正方法】変更
【補正の内容】
【図２】
0003137528.tif 000005
(57)【要約】      （修正有）【課題】犬の散歩時の糞・尿を簡単に、手や地面を汚さずに処理できる家畜糞尿採取具を提供する。【解決手段】握り棒１の先にリング状の金属２を取り付け、糞尿採集用防水樹脂袋を内から外へ回し、その外側を複数の穴が縦方向に配列された帯状ゴム５で固定し、もう一枚の同様の袋を被せ、内から外へ出した袋の端を帯状ゴムと先の袋の間に挟み込んで固定する。其れにより課題を二枚目の袋の処理だけで解決している。【選択図】図１
0003137505.tif 000002
【実用新案登録請求の範囲】
【請求項１】
握り棒の先端に円形の金属リングを取り付け、其の金属リングの周囲に複数の穴が縦方向に配列された帯状ゴムで、糞尿採集用防水樹脂袋を鋏み込み固定、二枚目の糞尿採集用妨水樹脂袋を被せ、一枚目の袋と前記帯状ゴムの間に二枚目の袋の口を挟み込み固定、前記握り棒の先に前記帯状ゴムの両端の穴を係合し得る固定手段を設けたことを特徴とする家畜糞尿採集具。
【請求項２】
前記固定手段が突起物であることを特徴とする。
【請求項３】
帯状のゴムは両長辺に添って中心部が延びて金属リングを包み込むことを特徴とする。
【考案の詳細な説明】
【技術分野】
【０００１】  本考案は、犬の散歩時糞・尿を簡単に手を汚さずに処理する道具に関するものである。
【背景技術】
【０００２】  犬の散歩時の糞の取り方は、排便姿勢を取るのを見て、落下位置に新聞紙等を敷、排便処理をするが、軟便・下痢便にはなかなか対処しにくい、まして尿は処理出来なく、周囲の住民に不快感を与えていた。
【考案の開示】
【考案が解決しようとする課題】
【０００３】  犬の散歩時の糞・尿を回数を問わず簡単に手と地面を汚さず解決しようとするものである。
【課題を解決するための手段】
【０００４】  本考案は、握り棒の先にリング状の金属を取り付け、糞尿採集用防水樹脂袋を内から外回しその外側を複数の穴が縦方向に配列された帯状ゴムで固定し、尚もう一枚の前記と同様の袋を被せ、内から外へ出した袋の端を前記帯状ゴムと先の袋の間に挟み込んで固定する。其れにより課題を二枚目の袋の処理だけで解決している。
【考案の効果】
【０００５】  上述の様に、本考案は糞尿採集用防水樹脂袋を二重に取り付ける事により、帯状固定ゴムを汚さず簡単に処理できると同時に、袋が二重なので破損に対し安全性が高い。
地面と犬の間に本考案物を挿入するので、草むらや湿気た所での処理も容易である。
【考案を実施するための最良の形態】
【０００６】  握り棒の全長は約３５０ｍｍ、先のリング状の金属（直径約６ｍｍ）で内径約１８０ｍｍ、複数の穴が縦方向に配列された帯状ゴムの巾約３５ｍｍ・打ち抜き穴の内径約２１ｍｍ・全長約４７０ｍｍ、帯状ゴムの固定用突起物（鉄線直径約２．５ｍｍ）の出っ張りは約１５ｍｍ、全体の長さは約５３６ｍｍ。自重約１２０ｍｇ。
【実施例】
【０００７】  以下、添付図面に従って一実施例を説明する。本体は耐久性の有る金属を用い、図３は固定用に突起物を設け帯状ゴムで固定する。糞尿採集用防水樹脂袋は市販品又はレジ袋で良い。糞尿採集用防水樹脂袋Ａを▲２▼の下から上に廻し口を下へ垂れ下げ▲５▼で固定する。
図４は糞尿採集用防水樹脂袋ＢをＡの中に挿入。図５は袋Ｂの上部を下へ折り返し、Ａと▲５▼の間に挟み込み固定。【０００８】  糞・尿の処理は袋Ｂを▲５▼からはずすだけで完了する。
【図面の簡単な説明】
【図１】本考案の正面図である。
【図２】本考案の側面図である。
【図３】Ａ第一糞尿採集用防水樹脂袋を帯状ゴムで固定した図である。
【図４】Ｂ第二糞尿採集用防水樹脂袋をＡの中に挿入した図である。
【図５】Ａ袋にＢ袋を挿入後、口を帯状ゴムとＡ袋の間に挟み込んだ完成図である。
【符号の説明】
【０００９】▲１▼  握り棒本体
▲２▼  リング状の金属で、糞尿採集用防水樹脂袋を受ける部分
▲３▼  袋を固定する複数の穴が縦方向に配列された帯状ゴムを固定する突起
▲４▼  握り手部分
▲５▼  樹脂袋を押さえ固定する複数の穴が縦方向に配列された帯状ゴム
▲６▼  保管時に釘に掛ける紐
Ａ  第一糞尿採集用防水樹脂袋、補強も兼ねる
Ｂ  第二糞尿採集用防水樹脂袋
【図１】
0003137505.tif 000003
【図２】
0003137505.tif 000004
【図３】
0003137505.tif 000005
【図４】
0003137505.tif 000006
【図５】
0003137505.tif 000007
【手続補正書】
【提出日】平成19年6月20日(2007.6.20)
【手続補正１】
【補正対象書類名】実用新案登録請求の範囲
【補正の内容】
0003137505.tif 000008
【手続補正書】
【提出日】平成19年9月12日(2007.9.12)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項２
【補正方法】変更
【補正の内容】
【請求項２】
前記固定手段が突起物であることを特徴とする、請求項１記載の家蓄糞尿採集具。
【手続補正２】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項３
【補正方法】変更
【補正の内容】
【請求項３】
前記帯状のゴムは両長辺に添って中心部が延びて金属リングを包み込むことを特徴とする、請求項１記載の家畜糞尿採集具。
(57)【要約】      （修正有）【課題】喫煙者と非喫煙者の関係を加害者と被害者に分けるのではなく、喫煙者による汚れた空気を非喫煙者にすわせないようにする。【解決手段】喫煙者の出す煙を小型の空気濾過機によってろ過し無害化した空気を循環させて非喫煙者に被害を出さない装置である。マスクを装着した状態で点火することが出来るように、点火口をマスクの先端に設け、開閉可能にし、空気濾過機の濾過装置をカ−トリッジ式にして容易に取り替えることが出来るようにし、空気を循環するためのファンの動力源は単３の乾電池とモ−タ−とする。【選択図】図２
0003137506.tif 000002
【実用新案登録請求の範囲】
１
鼻と口を覆うマスクと胸ポケットに収めた携帯型小型空気濾過機とをつなぐパイプとモ−タ−と単３乾電池とファンとで構成される。
0003137506.tif 000003
【考案の詳細な説明】
【技術分野】
【０００１】  本考案は喫煙者の出す有害な煙を鼻と口を覆うマスクからパイプで胸ポケットに入る大きさの空気清浄機に吸入し、空気濾過機で濾過し、無害化した空気をマスクに注入して循環させることでタバコの煙を外に出さないための装置に関するものである。
【背景技術】
【０００２】  従来は、喫煙による害とともに受動喫煙による非喫煙者の被害についても議論されてきたが、主に喫煙者と非喫煙者の分離が主要な議題となっていた。
【考案の開示】
【考案が解決しようとする課題】
【０００３】  喫煙者と非喫煙者の関係を加害者と被害者に分けるのではなく、喫煙者が汚れた有害な煙を出さないための装置を作ること。
【課題を解決するための手段】
【０００４】  本考案は喫煙者の鼻と口を覆うマスクからパイプで胸ポケットなどに入る小型の空気濾過機に汚れた空気を吸入し、空気濾過機の濾過装置で無害化した空気をパイプでマスクに送り返し循環させることで汚れた空気を外に出さないためのものである。
【考案の効果】
【０００５】  喫煙者が汚れた空気を吐き出さなければ非喫煙者と同席して喫煙することが出来るので、両者を分離する必要が無くなる。
【考案を実施するための最良の形態】
【０００６】  マスクを装着した状態で点火ことが出来るように、点火口をマスクの先端に設け、開閉可能にすること、空気濾過機の濾過装置をカ−トリッジ式にして容易に取り替えることが出来るようにすること、空気を循環するためのファンの動力源は単３の乾電池とモ−タ−とすること。
0003137506.tif 000004
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
鼻と口を覆うマスクと胸ポケットに収めた携帯小型空気濾過機とをつなぐパイプとモ−タ−と単３乾電池とファンとで構成される喫煙者用携帯型空気濾過機。
0003137506.tif 000005
【手続補正２】
【補正対象書類名】明細書
【補正対象項目名】全文
【補正方法】変更
【補正の内容】
【考案の詳細な説明】
【技術分野】
【０００１】  本考案は喫煙者の出す有害な煙を鼻と口を覆うマスクからパイプで胸ポケットに入る大きさの空気清浄機に吸入し、空気濾過機で濾過し、無害化した空気をマスクに注入して循環させることで煙草の煙を外に出さないための装置に関するものである。
【背景技術】
【０００２】  従来は、喫煙による害とともに受動喫煙による非喫煙者の被害についても議論されてきたが、主に喫煙者と非喫煙者の分離が主要な議題となっていた。
【考案の開示】
【考案が解決しようとする課題】
【０００３】  喫煙者と非喫煙者の関係を加害者と被害者に分けるのではなく、喫煙者が汚れた有害な煙を出さないための装置を作ること。
【課題を解決するための手段】
【０００４】  本考案は喫煙者の鼻と口を覆うマスクからパイプで胸ポケットなどに入る小型の空気濾過機に汚れた空気を吸入し、空気濾過機の濾過装置で無害化した空気をパイプでマスクに送り返し循環させることで汚れた空気を外に出さないためのものである。
【考案の効果】
【０００５】  喫煙者が汚れた空気を吐き出さなければ非喫煙者と同席して喫煙することが出来るので、両者を分離する必要が無くなる。
【考案を実施するための最良の形態】
【０００６】  マスクを装着した状態で点火することが出来るように、点火口をマスクの先端に設け、開閉可能にすること、空気濾過機の濾過装置をカ−トリッジ式にして容易に取り替えることが出来るようにすること、空気を循環するためのファンの動力源は単３の乾電池とモ−タ−とすること。
【図面の簡単な説明】
【０００７】
【図１】は空気濾過機の平面図である。
【図２】は空気濾過機の側面図（前面）である。
【図３】は空気濾過機の側面図（横面）である。
【図４】はマスクの平面図（前面）である。
【図５】はマスクの断面図（上面）である。
【図６】はマスクの側面図である。
【符号の説明】
【０００８】    １空気吸入パイプ
２空気排出パイプ
３カ−トリッジ取り出し口
４空気吸入パイプ
５空気排出パイプ
６空気排出口
７カ−トリッジ
８空気送入ファン
９作動ベルト
１０モ−タ−
１１乾電池
１２乾電池交換口
１３空気送入口
１４点火口
１５空気吸入口
１６空気排出口
１７装着ベルト
１８空気吸入口
１９空気吸入パイプ
２０空気排出口
【手続補正３】
【補正対象書類名】図面
【補正対象項目名】全図
【補正方法】変更
【補正の内容】
【図１】
0003137506.tif 000006
【図２】
0003137506.tif 000007
【図３】
0003137506.tif 000008
【図４】
0003137506.tif 000009
【図５】
0003137506.tif 000010
【図６】
0003137506.tif 000011
【手続補正書】
【提出日】平成19年9月13日(2007.9.13)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
鼻と口を覆うマスクと胸ポケットに収めた携帯小型空気濾過機とをつなぐパイプとモ−タ−と単３乾電池とファンとで構成される喫煙者用携帯型空気濾過機。
(57)【要約】【課題】スリッパを立てて重ねることができる構造にして、スリッパ立てスタンドを使用せずに、スリッパ単独で整理できるようにした。【解決手段】イ  スリッパの先端部Ａに突起形状部を設けた。ロ  スリッパの後部Ｂに、くぼみを設けた。ハ  スリッパを先端部を上にして、先端部Ａを後部Ｂに挿入してスリッパを立てることのきる安定性のある形状にした。【選択図】図２
0003137510.tif 000002
【実用新案登録請求の範囲】
【請求項１】
スリッパの先端部に突起形状部を設けた。
【請求項２】
スリッパの後部に、くぼみを設けた。
【請求項３】
スリッパの先端部を上にして立てることのできる安定性のある形状にした。
以上の如く構成された、重ねて立てることのできるスリッパ。
【考案の詳細な説明】
【技術分野】
【０００１】  履物に関する技術
【技術背景】
【０００２】  今まで、玄関先で、スリッパ立てスタンドを使用してスリッパを整理していた。
【考案の開示】
【０００３】
【考案が解決しようとする課題】
【０００４】  スリッパ立てスタンドを使用せずに、スリッパを整理する。
【考案を解決するための手段】
【０００５】  図面によって説明すれば、
イ  スリッパの先端部Ａに突起形状部を設けた。
ロ  スリッパの後部Ｂに、くぼみを設けた。
ハ  スリッパの先端部を上にして、先端部Ａを後部Ｂに挿入してスリッパを立てることのできる安定性のある形状にした。
【考案の効果】
【０００６】  本考案はスリッパを立てて重ねることができる構造にして、スリッパ立てスタンドを使用せずに、スリッパ単独で整理できるようにした。
従来は、玄関でスリッパ立てスタンドを使用してスリッパを整理していた。本考案のスリッパは、いつでもどこでも、きれいにスリッパを重ねて立てて整理できる。
【図面の簡単な説明】
【図１】  本考案の三角法図面
【図２】  本考案の斜視図
【図３】  本考案の使用図
【符号の説明】
Ａ  ・・・  スリッパの先端部
Ｂ  ・・・  スリッパの後部
【図１】
0003137510.tif 000003
【図２】
0003137510.tif 000004
【図３】
0003137510.tif 000005
【手続補正書】
【提出日】平成19年8月18日(2007.8.18)
【手続補正１】
【補正対象書類名】実用新案登録請求の範囲
【補正対象項目名】全文
【補正方法】変更
【補正の内容】
【実用新案登録請求の範囲】
【請求項１】
スリッパの先端部に突起形状部を付けたスリッパ。
【請求項２】
スリッパの後部に、くぼみ穴を付けたスリッパ。
【請求項３】
スリッパの先端部を上にして立てられるように、スリッパの後部を平らにしたスリッパ。
【手続補正２】
【補正対象書類名】明細書
【補正対象項目名】０００５
【補正方法】変更
【補正の内容】
【０００５】図面によって説明すれば、
イ  スリッパの先端部に突起形状部Ａを付けた。
ロ  スリッパの後部に、くぼみ穴部Ｂを付けた。
ハ  スリッパの先端部Ａを上にして立てられるように、スリッパの後部分Ｂを平ら形        状にした。
二  スリッパの先端部を上にして、先端部の突起形状部Ａを後部くぼみ穴部Ｂに挿入        してスリッパを重ねて立てるようにした。